(57)【特許請求の範囲】
【請求項１】
電子部品を冷却するための冷却部と、
前記冷却部の下方に配置され、前記冷却部から滴下する結露水を案内するように下方に傾斜して配置されている板金製の水受け部材とを備え、
前記水受け部材は、前記結露水を案内するとともに、前記結露水が案内される方向と交差する方向側の端部に前記結露水が案内される方向に沿って設けられた壁部を有する案内部を含む、インバータ装置。
【請求項２】
前記水受け部材は、一部が湾曲されることにより下方に傾斜して配置されている、請求項１に記載のインバータ装置。
【請求項３】
前記水受け部材は、湾曲した湾曲部を含み、
前記湾曲部は、前記壁部が設けられる前記案内部よりも前記結露水が案内される方向の上流側に設けられている、請求項２に記載のインバータ装置。
【請求項４】
前記湾曲部は、平面視において、前記水受け部材のうちの前記冷却部の外側に対応する部分である、請求項３に記載のインバータ装置。
【請求項５】
前記水受け部材は、前記水受け部材の前記結露水が案内される方向の下流側に配置され、前記案内部から上方に階段状に折り曲げられている段差部と、前記段差部の前記結露水が案内される方向と交差する方向の端部近傍に設けられ、前記案内部に案内される前記結露水を前記水受け部材の外部に逃がすための逃がし部とを含む、請求項３または４に記載のインバータ装置。
【請求項６】
前記段差部および前記湾曲部には、それぞれ、前記水受け部材を固定するための締結部材が貫通する第１孔部および第２孔部が設けられており、
前記第１孔部および前記第２孔部をそれぞれ貫通する前記締結部材が締結される第１ボス部および第２ボス部をさらに備え、
前記第１孔部および前記第２孔部をそれぞれ介して前記締結部材が前記第１ボス部および前記第２ボス部に締結された状態で、前記段差部の下端の高さ位置は、前記第１ボス部および前記第２ボス部に締結された前記締結部材の、前記第１ボス部および前記第２ボス部から露出する部分の高さ位置よりも低い、請求項５に記載のインバータ装置。
【請求項７】
前記水受け部材の下方に前記水受け部材から離間して配置され、前記水受け部材から滴下した前記結露水をインバータ装置本体外に排出する板金製の排出部材をさらに備える、請求項１〜６のいずれか１項に記載のインバータ装置。
【請求項８】
前記排出部材は、前記水受け部材から滴下した前記結露水を前記インバータ装置本体外に排出する傾斜部を含む、請求項７に記載のインバータ装置。
【請求項９】
前記インバータ装置本体の外壁部には、前記傾斜部が挿通され、前記結露水を前記インバータ装置本体外に排出する排出用孔部が設けられている、請求項８に記載のインバータ装置。
【発明の詳細な説明】
【技術分野】
【０００１】
この発明は、インバータ装置に関し、特に、冷却部から滴下する結露水を案内する水受け部材を備えるインバータ装置に関する。
【背景技術】
【０００２】
従来、冷却部から滴下する結露水を案内する水受け部材を備えるインバータ装置が知られている（たとえば、特許文献１参照）。
【０００３】
上記特許文献１には、パワーデバイスおよびプリント回路板の下方に配置されるヒートシンクと、ヒートシンクの下方に配置され、ヒートシンクの表面に結露した結露水を受ける露水受皿とを備える電子機器の冷却装置が開示されている。この電子機器の冷却装置では、露水受皿は箱状に形成されている。また、箱状の露水受皿は、底面が略水平になるように配置されている。また、箱状の露水受皿には、露水受皿から結露水を排出するための管状のドレンパイプが接続されている。そして、ヒートシンクの表面に結露した結露水は、露水受皿に滴下した後、ドレンパイプを介して外部に排出される。
【先行技術文献】
【特許文献】
【０００４】
【特許文献１】特開平８−１８６３８８号公報
【発明の概要】
【発明が解決しようとする課題】
【０００５】
しかしながら、上記特許文献１に記載された電子機器（インバータ装置）の冷却装置では、露水受皿は箱状に形成されているため、露水受皿を板金などで構成した場合には、箱状に折り曲げた板金（折り曲げた部分同士）を溶接する工程が必要になり、露水受皿（水受け部材）の形成プロセスが複雑化するという問題点がある。また、底面が略水平になるように配置されている露水受皿に滴下した結露水を外部に排出するために、ドレンパイプが設けられているため、その分、部品点数が増加するという問題点がある。
【０００６】
この発明は、上記のような課題を解決するためになされたものであり、この発明の１つの目的は、水受け部材の形成プロセスの複雑化および部品点数の増加を抑制しながら、結露水を案内することが可能なインバータ装置を提供することである。
【課題を解決するための手段】
【０００７】
上記目的を達成するために、この発明の一の局面によるインバータ装置は、電子部品を冷却するための冷却部と、冷却部の下方に配置され、冷却部から滴下する結露水を案内するように下方に傾斜して配置されている板金製の水受け部材とを備え、水受け部材は、結露水を案内するとともに、結露水が案内される方向と交差する方向側の端部に結露水が案内される方向に沿って設けられた壁部を有する案内部を含む。
【０００８】
この発明の一の局面によるインバータ装置では、上記のように、冷却部の下方に配置され、冷却部から滴下する結露水を案内するように下方に傾斜して配置されている板金製の水受け部材を備え、水受け部材は、結露水を案内するとともに、結露水が案内される方向と交差する方向側の端部に結露水が案内される方向に沿って設けられた壁部を有する案内部を含む。これにより、冷却部から滴下する結露水が、下方に傾斜した板金製の水受け部材に沿って案内される（流れる）ので、水受け部材に配管を設けることなく、結露水を排出することができる。また、冷却部から滴下する結露水を配管に導くように、板金製の水受け部材を箱状に溶接する必要もない。その結果、水受け部材の形成プロセスの複雑化および部品点数の増加を抑制しながら、結露水を案内することができる。また、水受け部材が板金製であるので、水受け部材の厚みを比較的小さくすることができる。そして、結露水が案内される方向と交差する方向に結露水が流れた場合でも、水受け部材から結露水が漏れるのを壁部により抑制することができる。
【０００９】
上記一の局面によるインバータ装置において、好ましくは、水受け部材は、一部が湾曲されることにより下方に傾斜して配置されている。このように構成すれば、板金製の水受け部材を湾曲させるだけで、容易に、下方に傾斜して配置されている板金製の水受け部材を形成することができる。
【００１０】
この場合、好ましくは、水受け部材は、湾曲した湾曲部とを含み、湾曲部は、壁部が設けられる案内部よりも結露水が案内される方向の上流側に設けられている。ここで、壁部を設けた場合には、水受け部材を湾曲させるのが困難になる。そこで、壁部が形成されない部分に湾曲部を設けることによって、容易に、水受け部材（湾曲部）を湾曲させることができる。また、湾曲部を、壁部が設けられる案内部よりも結露水が案内される方向の上流側に設けることによって、結露水を湾曲部の下流側に設けられる案内部に滴下することにより、壁部が設けられない湾曲部から結露水が漏れることはない。
【００１１】
上記水受け部材が案内部と湾曲部とを含むインバータ装置において、好ましくは、湾曲部は、平面視において、水受け部材のうちの冷却部の外側に対応する部分である。このように構成すれば、湾曲部に冷却部から結露水は滴下しないので、湾曲部に結露水が漏れるのを抑制するための壁部（案内部に設けられる壁部）を設ける必要がない。その結果、湾曲部を容易に湾曲させることができる。
【００１２】
上記水受け部材が案内部と湾曲部とを含むインバータ装置において、好ましくは、水受け部材は、水受け部材の結露水が案内される方向の下流側に配置され、案内部から上方に階段状に折り曲げられている段差部と、段差部の結露水が案内される方向と交差する方向の端部近傍に設けられ、案内部に案内される結露水を水受け部材の外部に逃がすための逃がし部とを含む。このように構成すれば、案内部によって案内される結露水が段差部の下端側に一旦溜まるとともに、段差部の下端側に一旦溜まった結露水を逃がし部から逃がすことができる。
【００１３】
この場合、好ましくは、段差部および湾曲部には、それぞれ、水受け部材を固定するための締結部材が貫通する第１孔部および第２孔部が設けられており、第１孔部および第２孔部をそれぞれ貫通する締結部材が締結される第１ボス部および第２ボス部をさらに備え、第１孔部および第２孔部をそれぞれ介して締結部材が第１ボス部および第２ボス部に締結された状態で、段差部の下端の高さ位置は、第１ボス部および第２ボス部に締結された締結部材の、第１ボス部および第２ボス部から露出する部分の高さ位置よりも低い。このように構成すれば、段差部の下端側に溜まった結露水が、締結部材の第１ボス部および第２ボス部から露出する部分に接触することが抑制されるので、第１ボス部および第２ボス部を防水加工（さび止め）する必要が無くなる。
【００１４】
上記一の局面によるインバータ装置において、好ましくは、水受け部材の下方に水受け部材から離間して配置され、水受け部材から滴下した結露水をインバータ装置本体外に排出する板金製の排出部材をさらに備える。このように構成すれば、水受け部材から滴下した結露水がインバータ装置本体内に排出されることに起因する、インバータ装置本体内の電子部品への悪影響を抑制することができる。また、水受け部材に結露水の排出用の配管を接続することなく、結露水を排出することができる。その結果、インバータ装置本体内に配管のためのスペースを設ける必要がないので、その分、インバータ装置を小型化することができる。
【００１５】
この場合、好ましくは、排出部材は、水受け部材から滴下した結露水をインバータ装置本体外に排出する傾斜部を含む。このように構成すれば、結露水が傾斜部に沿って下方に流れるので、結露水を滞留させることなく、容易に、結露水をインバータ装置本体外に排出することができる。
【００１６】
上記排出部材が傾斜部を含むインバータ装置において、好ましくは、インバータ装置本体の外壁部には、傾斜部が挿通され、結露水をインバータ装置本体外に排出する排出用孔部が設けられている。このように構成すれば、水受け部材から滴下した結露水をインバータ装置本体の外壁部（排出用孔部）を介して、容易に、インバータ装置本体外に排出することができる。
【発明の効果】
【００１７】
本発明によれば、上記のように、水受け部材の形成プロセスの複雑化および部品点数の増加を抑制しながら、結露水を案内することができる。
【図面の簡単な説明】
【００１８】
【図１】本発明の一実施形態によるインバータ装置の斜視図である。
【図２】図１の２００−２００線に沿った断面図である。
【図３】図１の３００−３００線に沿った断面図である。
【図４】本発明の一実施形態によるインバータ装置の水受け部材およびコンデンサの斜視図である。
【図５】板金（折り曲げ前の水受け部材）の上面図である。
【図６】本発明の一実施形態によるインバータ装置の水受け部材（ボス部に取り付ける前）の上面図である。
【図７】本発明の一実施形態によるインバータ装置の水受け部材（ボス部に取り付ける前）をＸ２方向側から見た側面図である。
【図８】本発明の一実施形態によるインバータ装置の水受け部材（ボス部に取り付ける前）をＹ２方向側から見た側面図である。
【図９】本発明の一実施形態によるインバータ装置の水受け部材（ボス部に取り付けた後）をＹ２方向側から見た側面図である。
【図１０】図９の部分拡大図（１）である。
【図１１】図９の部分拡大図（２）である。
【図１２】図４の部分拡大図である。
【図１３】図２の部分拡大図である。
【図１４】本発明の一実施形態によるインバータ装置の排出部材の斜視図である。
【発明を実施するための形態】
【００１９】
以下、本発明を具体化した実施形態を図面に基づいて説明する。
【００２０】
［本実施形態］
（インバータ装置の構造）
図１〜図４を参照して、本実施形態によるインバータ装置１００の構造について説明する。
【００２１】
図１〜図３に示すように、インバータ装置１００の上部には、制御用の基板１が配置されている。また、インバータ装置１００の略中央部には、ダイオードやＩＧＢＴ（Ｉｎｓｕｌａｔｅｄ  Ｇａｔｅ  Ｂｉｐｏｌａｒ  Ｔｒａｎｓｉｓｔｏｒ）からなるスイッチング素子などの電子部品１０（図３参照）が配置されている。また、電子部品１０の下方（Ｚ２方向側）には、電子部品１０を冷却するためのヒートシンク２０が配置されている。なお、ヒートシンク２０は、特許請求の範囲の「冷却部」の一例である。
【００２２】
ヒートシンク２０は、金属などの部材により構成されている。また、ヒートシンク２０は、水冷式である。図２および図３に示すように、ヒートシンク２０には、冷却水が流通する流路２０ａが設けられている。
【００２３】
また、ヒートシンク２０の下方には、コンデンサ（平滑コンデンサ）３０が設けられている。また、電子部品１０、ヒートシンク２０およびコンデンサ３０は、筐体４０の内部に配置されている。また、筐体４０の前面４１には、インバータ装置１００に電力を入力するための複数の端子４２が設けられている。
【００２４】
ここで、本実施形態では、図２〜図４に示すように、ヒートシンク２０の下方に配置され、ヒートシンク２０から滴下する結露水を案内するように下方に傾斜して配置されている板金製の水受け部材５０が設けられている。具体的には、板金製の水受け部材５０は、結露水を案内する方向（結露水が流れる方向、Ｘ１方向）に沿って、ヒートシンク２０から徐々に離間するように、傾斜して配置されている。また、水受け部材５０は、一部（後述する湾曲部５２）が湾曲されることにより下方に傾斜して配置されている。なお、水受け部材５０の詳細な構造については後述する。
【００２５】
また、図３および図４に示すように、インバータ装置１００には、水受け部材５０を固定するための第１ボス部６１および第２ボス部６２が設けられている。第１ボス部６１および第２ボス部６２は、コンデンサ３０の上方に配置されている。具体的には、第１ボス部６１および第２ボス部６２は、コンデンサ３０を覆うカバー３０ａに溶接されている。
【００２６】
また、図１〜図３に示すように、インバータ装置１００の底部には、複数（本実施形態では、４個）のキャスタ６０が設けられている。
【００２７】
（水受け部材の構造）
次に、図４〜図１１を参照して、水受け部材５０の構造について説明する。なお、図５は、折り曲げられる前の板金１５０（水受け部材５０）を示している。図６〜図８は、第１ボス部６１および第２ボス部６２に取り付けられる前の水受け部材５０を示している。また、図９〜図１２は、第１ボス部６１および第２ボス部６２に取り付けられた後の水受け部材５０を示している。また、図９および図１１は、後述する水路部５６が取り付けられていない状態の水受け部材５０を示している。
【００２８】
本実施形態では、図４に示すように、水受け部材５０は、結露水を案内する案内部５１と、湾曲した湾曲部５２とを含む。案内部５１（水受け部材５０のうち、点線よりもＸ１方向側の部分）は、平面視において、略長方形形状（Ｘ方向に長い略長方形形状）を有する。また、湾曲部５２（水受け部材５０のうち、点線よりもＸ２方向側の部分）は、平面視において、略長方形形状（Ｙ方向に長い略長方形形状）を有する。
【００２９】
また、本実施形態では、案内部５１の結露水が案内される方向（Ｘ１方向）と交差する方向側（Ｙ１方向側、Ｙ２方向側）の端部には、結露水が案内される方向に沿って壁部５３が設けられている。壁部５３は、板金１５０（図５参照）のＹ１方向側およびＹ２方向側の端部１５０ａおよび１５０ｂが略９０度の角度で折り曲げられることにより形成されている。
【００３０】
また、図５および図８に示すように、壁部５３のＸ１方向側の端部５３ａは、段差状に形成されている。また、端部５３ａには、後述する水路部５６をねじ７１（図４参照）により固定するための孔部５３ｂが設けられている。孔部５３ｂは複数（本実施形態では各々の壁部５３に２個）設けられている。
【００３１】
また、本実施形態では、図４に示すように、湾曲部５２は、壁部５３が設けられる案内部５１よりも結露水が案内される方向の上流側（Ｘ２方向側）に設けられている。湾曲部５２には、壁部５３が設けられていない。これにより、壁部５３が設けられる案内部５１と異なり、湾曲部５２は、容易に、湾曲させることが可能である。なお、湾曲部５２は、Ｚ１方向に凸状（図１０参照）に湾曲されている。なお、図１０では、湾曲部５２の湾曲が強調された状態（より大きく湾曲させた状態）を示している。
【００３２】
また、本実施形態では、図６に示すように、湾曲部５２は、平面視において、水受け部材５０のうちのヒートシンク２０の外側（Ｘ２方向側）に対応する部分である。また、案内部５１は、平面視において、ヒートシンク２０とオーバラップするように構成されている。具体的には、案内部５１は、平面視において、ヒートシンク２０の外側にはみ出すように構成されている。つまり、ヒートシンク２０は、平面視において、案内部５１（壁部５３）の外縁よりも内側に配置されている。これにより、ヒートシンク２０からの結露水の略全てが、案内部５１に滴下される。
【００３３】
また、本実施形態では、図６〜図９に示すように、水受け部材５０は、水受け部材５０の結露水が案内される方向の下流側（Ｘ１方向側）に配置され、案内部５１から上方（Ｚ１方向）に階段状に折り曲げられている段差部５４を含む。具体的には、段差部５４は、板金１５０（図５参照）のＸ１方向側の端部が、上方（水受け部材５０に近づく方向、Ｚ１方向）に略９０度の角度で折り曲げられた後、Ｘ１方向（インバータ装置１００の外側方向）に略９０度の角度で折り曲げられることにより形成されている。
【００３４】
また、本実施形態では、図６および図７に示すように、水受け部材５０は、段差部５４の結露水が案内される方向と交差する方向（Ｙ方向）の端部近傍に設けられ、案内部５１に案内される結露水を水受け部材５０の外部に逃がすための逃がし部５５を含む。板金１５０（図５参照）は、案内部５１を構成する部分のＹ方向に沿った幅Ｗ１が、段差部５４を構成する部分のＹ方向に沿った方向の幅Ｗ２よりも大きくなるように構成されている。このため、図６に示すように、板金１５０を折り曲げて段差部５４を構成した後、段差部５４のＹ１方向側およびＹ２方向側の端部近傍では、段差部５４の端部よりも案内部５１がＹ１方向およびＹ２方向に突出する。そして、この案内部５１の突出した部分が、案内部５１に案内される結露水を水受け部材５０の外部に逃がすための逃がし部５５となる。逃がし部５５は、段差部５４の両側（Ｙ１方向側およびＹ２方向側）にそれぞれ設けられている。
【００３５】
また、図６に示すように、段差部５４および湾曲部５２には、それぞれ、水受け部材５０を固定するためのねじ７２（図９参照）が貫通する孔部５４ｂおよび孔部５２ａが設けられている。孔部５４ｂは、段差部５４の上端部５４ａのＹ１方向側およびＹ２方向側の端部近傍にそれぞれ（合計２箇所）設けられている。また、孔部５２ａは、湾曲部５２のＹ１方向側およびＹ２方向側の端部近傍にそれぞれ（合計２箇所）設けられている。そして、図９に示すように、複数のねじ７２が、それぞれ、孔部５４ｂおよび孔部５２ａを貫通して第１ボス部６１および第２ボス部６２に締結されるように構成されている。なお、孔部５４ｂおよび孔部５２ａは、それぞれ、特許請求の範囲の「第１孔部」および「第２孔部」の一例である。また、ねじ７２は、特許請求の範囲の「締結部材」の一例である。
【００３６】
そして、本実施形態では、図１０および図１１に示すように、孔部５４ｂおよび孔部５２ａをそれぞれ介してねじ７２が第１ボス部６１および第２ボス部６２に締結された状態で、段差部５４の下端５４ｃ（図１１参照）の高さ位置ｈ１は、第１ボス部６１および第２ボス部６２に締結されたねじ７２の、第１ボス部６１および第２ボス部６２から露出する部分（ねじ頭）の高さ位置ｈ２よりも低くなるように構成されている。具体的には、第１ボス部６１および第２ボス部６２（図１０参照）の突出高さｈ２は互いに略等しい。また、第１ボス部６１および第２ボス部６２の上面は、略平坦である。そして、突出高さｈ２が互いに等しい第１ボス部６１と第２ボス部６２とに、それぞれ、段差部５４の上端部５４ａと湾曲部５２とがねじ７２により固定される。これにより、段差部５４の下端５４ｃの高さ位置ｈ１は、第１ボス部６１および第２ボス部６２に締結されたねじ７２のねじ頭の高さ位置ｈ２よりも低くなる。
【００３７】
ここで、案内部５１のＹ方向側の端部には、壁部５３が設けられている。このため、案内部５１は湾曲しにくい。一方、湾曲部５２には壁部５３が設けられていないので、湾曲部５２は湾曲しやすい。これにより、図１０に示すように、ねじ７２により段差部５４の上端部５４ａと湾曲部５２とを固定した場合、案内部５１は湾曲せずに、湾曲部５２が湾曲することになる。
【００３８】
また、第１ボス部６１と第２ボス部６２とに固定される前の状態の水受け部材５０（図６参照）では、平面視において、孔部５４ｂ（中心）と孔部５２ａ（中心）との間のＸ方向に沿った方向の間隔Ｄ１は、第１ボス部６１（中心）と第２ボス部６２（中心）との間のＸ方向に沿った方向の間隔Ｄ２（図９参照）よりも大きい。そして、湾曲部５２を湾曲させながら、第１ボス部６１と第２ボス部６２とに水受け部材５０を固定する。これにより、第１ボス部６１と第２ボス部６２とに水受け部材５０が固定された状態（図９参照）では、孔部５４ｂと孔部５２ａとの間のＸ方向に沿った方向の間隔Ｄ３は、第１ボス部６１と第２ボス部６２との間のＸ方向に沿った方向の間隔Ｄ２に略等しくなる。
【００３９】
また、図１２に示すように、逃がし部５５の近傍には、案内部５１により案内された結露水を、後述する排出部材８０に案内するための水路部５６が設けられている。水路部５６は、板金が略Ｕ字形状に折り曲げられることにより形成されている。そして、略Ｕ字形状の底部を結露水が流れるように構成されている。また、水路部５６は、案内部５１の両側（Ｙ１方向側、Ｙ２方向側、図４参照）にそれぞれ設けられている。また、水路部５６には、複数（本実施形態では、２個）の孔部（図示せず）が設けられている。そして、水路部５６の孔部と、壁部５３の孔部５３ｂとを介して挿入されたねじ７１により、水路部５６と壁部５３とが固定される。
【００４０】
（排出部材の構造）
また、本実施形態では、図１３および図１４に示すように、水受け部材５０の下方（結露水が滴下する方向）に水受け部材５０から離間して配置され、水受け部材５０から滴下した結露水をインバータ装置本体１００ａ外に排出する板金製の排出部材８０が設けられている。排出部材８０は、水受け部材５０から滴下した結露水をインバータ装置本体１００ａ外に排出する傾斜部８１を含んでいる。また、傾斜部８１は、略矩形形状を有し、インバータ装置本体１００ａの内部側（Ｘ２方向側）から外部側（Ｘ１方向側）に向かって下方に傾斜するように構成されている。
【００４１】
また、傾斜部８１のＹ方向に沿った幅Ｗ３（図１３参照）は、水路部５６のＹ方向に沿った幅Ｗ４（図１２参照）以上である。これにより、水路部５６からの結露水の略全てが、傾斜部８１に滴下される。
【００４２】
排出部材８０は、傾斜部８１から屈曲して下方に延びる接続部分８２と、接続部分８２の下方に接続される箱状部分８３とを含む。また、接続部分８２には、排出部材８０をねじ（図示せず）により筐体４０の前面４１に固定するための複数（本実施形態では、２個）の孔部８２ａが設けられている。また、排出部材８０は、筐体４０の前面４１の両側（Ｙ１方向側およびＹ２方向側、図１参照）にそれぞれ設けられている。なお、前面４１は、特許請求の範囲の「外壁部」の一例である。
【００４３】
また、本実施形態では、図１３に示すように、インバータ装置本体１００ａの筐体４０の前面４１には、傾斜部８１が挿通され、結露水をインバータ装置本体１００ａ外に排出する排出用孔部４１ａが設けられている。排出用孔部４１ａは、略矩形形状を有する。そして、傾斜部８１が排出用孔部４１ａを介してインバータ装置本体１００ａの内側から外側に向かって下方に傾斜するように排出部材８０が筐体４０の前面４１に取り付けられる。これにより、ヒートシンク２０から滴下した結露水は、案内部５１、逃がし部５５、水路部５６および傾斜部８１を介して、排出部材８０の箱状部分８３に溜まる。
【００４４】
（本実施形態の効果）
本実施形態では、以下のような効果を得ることができる。
【００４５】
本実施形態では、上記のように、ヒートシンク２０の下方に配置され、ヒートシンク２０から滴下する結露水を案内するように下方に傾斜して配置されている板金製の水受け部材５０を備える。これにより、ヒートシンク２０から滴下する結露水が、下方に傾斜した板金製の水受け部材５０に沿って案内される（流れる）ので、水受け部材５０に配管を設けることなく、結露水を排出することができる。また、ヒートシンク２０から滴下する結露水を配管に導くように、板金製の水受け部材５０を箱状に溶接する必要もない。その結果、水受け部材５０の形成プロセスの複雑化および部品点数の増加を抑制しながら、結露水を案内することができる。また、水受け部材５０が板金製であるので、水受け部材５０の厚みを比較的小さくすることができる。
【００４６】
また、本実施形態では、上記のように、水受け部材５０は、一部が湾曲されることにより下方に傾斜して配置されている。これにより、板金製の水受け部材５０を湾曲させるだけで、容易に、下方に傾斜して配置されている板金製の水受け部材５０を形成することができる。
【００４７】
また、本実施形態では、上記のように、水受け部材５０は、結露水を案内する案内部５１と、湾曲した湾曲部５２とを含む。そして、案内部５１の結露水が案内される方向と交差する方向側の端部には、結露水が案内される方向に沿って壁部５３が設けられている。また、湾曲部５２は、壁部５３が設けられる案内部５１よりも結露水が案内される方向の上流側に設けられている。これにより、結露水が案内される方向と交差する方向に結露水が流れた場合でも、水受け部材５０から結露水が漏れるのを壁部５３により抑制することができる。また、壁部５３を設けた場合には、水受け部材５０を湾曲させるのが困難になる。そこで、壁部５３が形成されない部分に湾曲部５２を設けることによって、容易に、水受け部材５０（湾曲部５２）を湾曲させることができる。また、湾曲部５２を、壁部５３が設けられる案内部５１よりも結露水が案内される方向の上流側に設けることによって、結露水を湾曲部５２の下流側に設けられる案内部５１に滴下することにより、壁部５３が設けられない湾曲部５２から結露水が漏れることはない。
【００４８】
また、本実施形態では、上記のように、湾曲部５２は、平面視において、水受け部材５０のうちのヒートシンク２０の外側に対応する部分である。これにより、湾曲部５２にヒートシンク２０から結露水は滴下しないので、湾曲部５２に結露水が漏れるのを抑制するための壁部５３（案内部５１に設けられる壁部５３）を設ける必要がない。その結果、湾曲部５２を容易に湾曲させることができる。
【００４９】
また、本実施形態では、上記のように、水受け部材５０は、水受け部材５０の結露水が案内される方向の下流側に配置され、案内部５１から上方に階段状に折り曲げられている段差部５４を含む。また、水受け部材５０は、段差部５４の結露水が案内される方向と交差する方向の端部近傍に設けられ、案内部５１に案内される結露水を水受け部材５０の外部に逃がすための逃がし部５５を含む。これにより、案内部５１によって案内される結露水が段差部５４の下端５４ｃ側に一旦溜まるとともに、段差部５４の下端５４ｃ側に一旦溜まった結露水を逃がし部５５から逃がすことができる。
【００５０】
また、本実施形態では、上記のように、段差部５４および湾曲部５２には、それぞれ、水受け部材５０を固定するためのねじ７２が貫通する孔部５４ｂおよび孔部５２ａが設けられている。そして、孔部５４ｂおよび孔部５２ａをそれぞれ介してねじ７２が第１ボス部６１および第２ボス部６２に締結された状態で、段差部５４の下端５４ｃの高さ位置ｈ１は、第１ボス部６１および第２ボス部６２に締結されたねじ７２の、第１ボス部６１および第２ボス部６２から露出する部分の高さ位置ｈ２よりも低い。これにより、段差部５４の下端５４ｃ側に溜まった結露水が、ねじ７２の第１ボス部６１および第２ボス部６２から露出する部分（ねじ頭）に接触することが抑制されるので、第１ボス部６１および第２ボス部６２を防水加工（さび止め）する必要が無くなる。
【００５１】
また、本実施形態では、上記のように、水受け部材５０の下方に水受け部材５０から離間して配置され、水受け部材５０から滴下した結露水をインバータ装置本体１００ａ外に排出する板金製の排出部材８０を設ける。これにより、水受け部材５０から滴下した結露水がインバータ装置本体１００ａ内に排出されることに起因する、インバータ装置本体１００ａ内の電子部品１０への悪影響を抑制することができる。また、水受け部材５０に結露水の排出用の配管を接続することなく、結露水を排出することができる。その結果、インバータ装置本体１００ａ内に配管のためのスペースを設ける必要がないので、その分、インバータ装置１００を小型化することができる。
【００５２】
また、本実施形態では、上記のように、排出部材８０は、水受け部材５０から滴下した結露水をインバータ装置本体１００ａ外に排出する傾斜部８１を含む。これにより、結露水が傾斜部８１に沿って下方に流れるので、結露水を滞留させることなく、容易に、結露水をインバータ装置本体１００ａ外に排出することができる。
【００５３】
また、本実施形態では、上記のように、インバータ装置本体１００ａの前面４１には、傾斜部８１が挿通され、結露水をインバータ装置本体１００ａ外に排出する排出用孔部４１ａが設けられている。これにより、水受け部材５０から滴下した結露水をインバータ装置本体１００ａの前面４１（排出用孔部４１ａ）を介して、容易に、インバータ装置本体１００ａ外に排出することができる。
【００５４】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５５】
たとえば、上記実施形態では、水受け部材の一部（湾曲部）を湾曲させることにより、水受け部材が下方に傾斜する例を示したが、本発明はこれに限られない。たとえば、水受け部材の一部を湾曲させずに（直線状のままで）、水受け部材が下方に傾斜するように配置してもよい。
【００５６】
また、上記実施形態では、水受け部材に湾曲部を設ける例を示したが、本発明はこれに限られない。たとえば、水受け部材の一部を湾曲させずに水受け部材が下方に傾斜するように配置する場合では、湾曲部を設けなくても（案内部のみでも）よい。
【００５７】
また、上記実施形態では、段差部の両側（Ｙ１方向側、Ｙ２方向側、図６参照）に逃がし部を設ける例を示したが、本発明はこれに限られない。たとえば、段差部の片方側（Ｙ１方向側またはＹ２方向側）にのみ、逃がし部を設けてもよい。また、段差部の中央部近傍（Ｙ方向に沿った方向の中央部近傍）に逃がし部を設けてもよい。
【００５８】
また、上記実施形態では、第１ボス部および第２ボス部の突出高さが互いに略等しい例を示したが、本発明はこれに限られない。本発明では、水受け部材が下方に傾斜して配置されていれば、第１ボス部および第２ボス部の突出高さを互いに異ならせてもよい。
【００５９】
また、上記実施形態では、第１ボス部および第２ボス部の上面が略平坦である例を示したが、本発明はこれに限られない。たとえば、第１ボス部および第２ボス部の上面が、結露水が案内される方向に向かって、下方に傾斜していてもよい。これにより、水受け部材の一部を湾曲させることなく、略直線状の水受け部材を、下方に傾斜するように配置することができる。
【００６０】
また、上記実施形態では、水受け部材から滴下した結露水をインバータ装置本体外に排出する排出部材を設ける例を示したが、本発明はこれに限られない。たとえば、排出部材を設けずに、水受け部材によって案内された結露水を直接インバータ装置本体外に排出してもよい。
【００６１】
また、上記実施形態では、水受け部材から滴下した結露水をインバータ装置本体（筐体）の前面から排出する例を示したが、本発明はこれに限られない。たとえば、結露水をインバータ装置本体（筐体）の前面以外の部分から排出してもよい。
【００６２】
また、上記実施形態では、本発明の冷却部として水冷式のヒートシンクを用いる例を示したが、本発明はこれに限られない。本発明では、水冷式のヒートシンク以外の冷却部を用いてもよい。
【符号の説明】
【００６３】
１    基板
１０  電子部品
２０  ヒートシンク（冷却部）
３０  コンデンサ
３０ａ  カバー
４０  筐体
４１  前面（外壁部）
４１ａ  排出用孔部
４２  端子
５０  水受け部材
５１  案内部
５２  湾曲部
５２ａ  孔部（第２孔部）
５３ａ  端部
５３ｂ  孔部
５３  壁部
５４  段差部
５４ｂ  孔部（第１孔部）
５４ｃ  下端
５５  逃がし部
５６  水路部
６０  キャスタ
６１  第１ボス部
６２  第２ボス部
７２  ねじ（締結部材）
８０  排出部材
８１  傾斜部
８２  接続部分
８２ａ  孔部
８３  箱状部分
１００  インバータ装置
１００ａ  インバータ装置
１５０  板金
【図１】
0006693174.tif 000002
【図２】
0006693174.tif 000003
【図３】
0006693174.tif 000004
【図４】
0006693174.tif 000005
【図５】
0006693174.tif 000006
【図６】
0006693174.tif 000007
【図７】
0006693174.tif 000008
【図８】
0006693174.tif 000009
【図９】
0006693174.tif 000010
【図１０】
0006693174.tif 000011
【図１１】
0006693174.tif 000012
【図１２】
0006693174.tif 000013
【図１３】
0006693174.tif 000014
【図１４】
0006693174.tif 000015